(57)【要約】【課題】１の回路によって、つまり装置の大型化を招くことなく、略ゼロボルトを中心とした信号を取り込むことができ、かつ、直流電圧に重畳された信号を取り込むことができる信号取り込み装置を提供すること。【解決手段】テープレコーダ１００（信号取り込み装置）においては、入力部１１０によって、電源部１０１から不図示のマイクロフォン装置へ直流電圧を供給する設定とされている場合（直流電圧に重畳された信号を取り込む場合）、制御部１１１は、スイッチ部１０９をオン状態とする制御を行う。一方、入力部１１０によって、電源部１０１からマイクロフォン装置へ直流電圧を供給しない設定とされている場合（略ゼロボルトを中心とした信号を取り込む場合）、制御部１１１は、スイッチ部１０９をオフ状態とする制御を行う。【選択図】図１
2007335919.tif 000002
【特許請求の範囲】
【請求項１】
電源部と、
信号供給装置に電気的に接続し、該信号供給装置から信号を取り込む端子と、
前記電源部と前記端子とを接続するとともに、前記電源部から前記信号供給装置へ直流電圧を供給する電源ラインとを有する信号取り込み装置において、
前記電源ラインにおける電気的な接離を行うスイッチ部と、
前記電源部から前記信号供給装置へ直流電圧を供給するか否か、を判定し、判定結果に応じて前記スイッチ部を制御する制御部とを備えたことを特徴とする信号取り込み装置。
【請求項２】
前記電源部から前記信号供給装置へ直流電圧を供給するか否か、を設定する入力部を備え、
前記制御部は、前記入力部による設定に応じて、前記電源部から前記信号供給装置へ直流電圧を供給するか否か、を判定することを特徴とする請求項１に記載の信号取り込み装置。
【請求項３】
前記信号供給装置から取り込んだ信号を増幅する増幅部を備え、
前記制御部は、前記判定結果に応じて前記増幅部の増幅率を制御することを特徴とする請求項１又は２に記載の信号取り込み装置。
【発明の詳細な説明】
【技術分野】
【０００１】
本発明は、マイクロフォン装置から音声信号を取り込むテープレコーダなどの信号取り込み装置に関する。
【背景技術】
【０００２】
マイクロフォン装置から音声信号を取り込むテープレコーダやボイスレコーダ、ＩＣレコーダなどの信号取り込み装置は広く一般に普及している。そして、信号取り込み方式としては、信号取り込み装置から信号供給装置（マイクロフォン装置などが該当する）へ直流電圧を供給しない方式（特許文献１参照）と、信号取り込み装置から信号供給装置へ直流電圧を供給する方式（特許文献２参照）とが知られている。
【０００３】
ここで、信号取り込み装置から信号供給装置へ直流電圧を供給しない方式においては、信号取り込み装置は、略ゼロボルトを中心とした信号を取り込むこととなる。一方、信号取り込み装置から信号供給装置へ直流電圧を供給する方式においては、信号取り込み装置は、直流電圧に重畳された信号を取り込むこととなる。
【０００４】
特許文献１に記載の発明は、信号取り込み装置から信号供給装置へ直流電圧を供給しない方式に関するものであり、マイク入力信号を増幅するマイクアンプに第１のＡＬＣ（Automatic Level Control）回路を接続すると共に、ライン入力信号とマイク入力信号とのミキシングを行うミキシングアンプに第２のＡＬＣ回路を接続した、テープレコーダ（信号取り込み装置）のＡＬＣ回路に関するものである。これによると、第１のＡＬＣ回路によってマイク入力信号のレベルを適切に定めることができるので、マイク入力信号によってライン入力信号のレベルが影響を受け、不自然なミキシング録音になるという懸念が解消される。
【０００５】
特許文献２に記載の発明は、信号取り込み装置から信号供給装置へ直流電圧を供給する方式に関するものであり、音響−電気変換増幅手段に電源供給を行う電源ラインを断接することができるスイッチング素子と、外部接続手段に供給される外部音響機器（信号取り込み装置）の電源電圧に基づいてスイッチング素子をオン／オフするスイッチ制御手段とを備えたマイクロフォン装置（信号供給装置）に関するものである。そして、このマイクロフォン装置を介して集音された音声を、プラグインパワー機能を有する外部音響機器を用いて録音する場合、外部音響機器の電源状態に同期してマイクロフォン装置の電源状態が自動的にオン／オフされることから、マイクロフォン装置側の電源入れ忘れによる録音ミスを防止することができる。
【０００６】
ここで、信号取り込み装置から信号供給装置へ直流電圧を供給する方式の具体例について、図３を用いて説明する。図３は、従来の、プラグインパワー機能を有するテープレコーダ９００（信号取り込み装置）の概略の構成を示すブロック図である。
【０００７】
テープレコーダ９００は、電源部９０１と、抵抗９０２と、抵抗９０３と、抵抗９０４と、ジャック９０５と、コンデンサ９０６と、アンプ９０７と、録音部９０８とを有している。
【０００８】
電源部９０１は、内蔵されたバッテリー又は外部ＡＣ電源入力から、所定電圧の直流電圧を生成して、電源ラインＰＰに出力するものである。抵抗９０２と、抵抗９０３と、抵抗９０４とは、電源部９０１と直列に接続され、電源部９０１からの直流電圧を分圧するものである。なお、抵抗９０４は接地点に接続されている。
【０００９】
ジャック９０５は、不図示のマイクロフォン装置（信号供給装置）の信号入力プラグが接続されるものである。ここで、ジャック９０５の信号用フックは端子ＴＡに接続されている。また、端子ＴＡは、抵抗９０２と、抵抗９０３との接続点ＱＱに接続されており、端子ＴＢは接地点に接続されている。
【００１０】
抵抗９０３と、抵抗９０４との接続点ＲＲには、コンデンサ９０６を介してアンプ９０７が接続され、アンプ９０７には録音部９０８が接続されている。
【００１１】
上記構成のテープレコーダ９００においては、電源部９０１からの直流電圧が抵抗９０２と、抵抗９０３と、抵抗９０４とによって分圧され、抵抗９０２と、抵抗９０３との接続点ＱＱ及び端子ＴＡを介してマイクロフォン装置へ供給される。
【００１２】
そのため、マイクロフォン装置から端子ＴＡを介して入力される入力信号は、電源部９０１からの直流電圧の分圧電位を中心とした信号となる。そして、マイクロフォン装置から端子ＴＡを介して入力された信号は、抵抗９０３と、抵抗９０４とによって分圧され、コンデンサ９０６によって直流成分がカットされた後、アンプ９０７によって増幅され、録音部９０８によって録音される。
【特許文献１】実開昭５８−１５５６２５号公報
【特許文献２】特開平６−２３３３７５号公報
【発明の開示】
【発明が解決しようとする課題】
【００１３】
特許文献１に記載のテープレコーダは、略ゼロボルトを中心とした信号を取り込むことはできるが、信号供給装置へ直流電圧を供給することができないため、直流電圧に重畳された信号を取り込むことはできない。一方、特許文献２に記載の外部音響機器及び図３に記載のテープレコーダは、信号を取り込む際に常に信号供給装置へ直流電圧を供給するため、直流電圧に重畳された信号を取り込むことはできるが、略ゼロボルトを中心とした信号を取り込むことはできない。
【００１４】
つまり、従来においては、略ゼロボルトを中心とした信号を取り込むことができ、かつ、直流電圧に重畳された信号を取り込むことができる信号取り込み装置を構成するためには、略ゼロボルトを中心とした信号を取り込むための回路と、直流電圧に重畳された信号を取り込むための回路とをそれぞれ備える必要があり、装置の大型化の原因となっていた。
【００１５】
上記の問題点を鑑み、本発明においては、１の回路によって、つまり装置の大型化を招くことなく、略ゼロボルトを中心とした信号を取り込むことができ、かつ、直流電圧に重畳された信号を取り込むことができる信号取り込み装置を提供することを目的とする。
【課題を解決するための手段】
【００１６】
本発明においては、信号取り込み装置は、電源部と、信号供給装置に電気的に接続し、該信号供給装置から信号を取り込む端子と、前記電源部と前記端子とを接続するとともに、前記電源部から前記信号供給装置へ直流電圧を供給する電源ラインとを有する信号取り込み装置において、前記電源ラインにおける電気的な接離を行うスイッチ部と、前記電源部から前記信号供給装置へ直流電圧を供給するか否か、を判定し、判定結果に応じて前記スイッチ部を制御する制御部とを備えたことを特徴とする。
【００１７】
本発明においては、上記構成の信号取り込み装置において、前記電源部から前記信号供給装置へ直流電圧を供給するか否か、を設定する入力部を備え、前記制御部は、前記入力部による設定に応じて、前記電源部から前記信号供給装置へ直流電圧を供給するか否か、を判定することが望ましい。
【００１８】
本発明においては、上記構成の信号取り込み装置において、前記信号供給装置から取り込んだ信号を増幅する増幅部を備え、前記制御部は、前記判定結果に応じて前記増幅部の増幅率を制御することとしてもよい。
【発明の効果】
【００１９】
本発明によると、１の回路によって、つまり装置の大型化を招くことなく、略ゼロボルトを中心とした信号を取り込むことができ、かつ、直流電圧に重畳された信号を取り込むことができる信号取り込み装置が提供される。
【発明を実施するための最良の形態】
【００２０】
本発明の実施形態について、図面を用いて説明すれば以下の通りである。
【００２１】
図１は、本発明の実施形態に係るテープレコーダ１００（信号取り込み装置）の概略の構成を示すブロック図である。テープレコーダ１００は、電源部１０１と、抵抗１０２と、抵抗１０３と、抵抗１０４と、ジャック１０５と、コンデンサ１０６と、アンプ１０７（増幅部）と、録音部１０８と、スイッチ部１０９と、入力部１１０と、制御部１１１とを有している。
【００２２】
電源部１０１は、内蔵されたバッテリー又は外部ＡＣ電源入力から、所定電圧の直流電圧を生成して、電源ラインＰに出力するものである。抵抗１０２と、抵抗１０３と、抵抗１０４とは、電源部１０１と直列に接続され、電源部１０１からの直流電圧を分圧するものである。なお、抵抗１０４は接地点に接続されている。
【００２３】
ジャック１０５は、不図示のマイクロフォン装置（信号供給装置）の信号入力プラグが接続されるものである。ここで、ジャック１０５の信号用フックは端子Ｔ１に接続されている。また、端子Ｔ１は、抵抗１０２と、抵抗１０３との接続点Ｑに接続されており、端子Ｔ２は接地点に接続されている。
【００２４】
抵抗１０３と、抵抗１０４との接続点Ｒには、コンデンサ１０６を介してアンプ１０７が接続され、アンプ１０７には録音部１０８が接続されている。
【００２５】
スイッチ部１０９は、エミッタが電源部１０１に接続され、コレクタが抵抗１０２に接続されたｐｎｐトランジスタ１０９１と；ｐｎｐトランジスタ１０９１のエミッタとベースとの間に接続された抵抗１０９２と；ｐｎｐトランジスタ１０９１のベースと抵抗１０９２との接続点と制御部１１１との間に接続された抵抗１０９３と；によって構成されるスイッチである。
【００２６】
入力部１１０は、ユーザによって押下される各種の入力キーを有し、ユーザによる入力キーの押下に応じた電気信号を、制御部１１１へ伝達する。制御部１１１は、アンプ１０７と、スイッチ部１０９と、入力部１１０とに接続され、これらに対して制御指示信号を送出することで、各種動作を実行させる。
【００２７】
次に、制御部１１１による制御手順の詳細について説明する。図２は、制御部１１１の制御手順を示すフローチャートである。ここで、入力部１１０は、電源部１０１からマイクロフォン装置へ直流電圧を供給するか否かを設定する入力キーを有している。
【００２８】
そして、制御部１１１は、動作中に（Ｓ１）、電源部１０１からマイクロフォン装置へ直流電圧を供給する設定とされているか否かを検出する（Ｓ２）。電源部１０１からマイクロフォン装置へ直流電圧を供給する設定とされている場合には、制御部１１１は、スイッチ部１０９を構成する抵抗１０９３にＬレベルの信号を出力する（Ｓ３）。
【００２９】
すると、ｐｎｐトランジスタ１０９１のベース電位が低下することから、スイッチ部１０９がオン状態となる。そして、制御部１１１は、次に、アンプ１０７のゲインを、電源部１０１からマイクロフォン装置へ直流電圧を供給する場合に適した値に調整し（Ｓ４）、終了する（Ｓ５）。
【００３０】
一方、Ｓ２において、電源部１０１からマイクロフォン装置へ直流電圧を供給しない設定とされている場合には、制御部１１１は、スイッチ部１０９を構成する抵抗１０９３にＨレベルの信号を出力する（Ｓ６）。すると、ｐｎｐトランジスタ１０９１のベース電位が上昇することから、スイッチ部１０９がオフ状態となる。そして、制御部１１１は、次に、アンプ１０７のゲインを、電源部１０１からマイクロフォン装置へ直流電圧を供給しない場合に適した値に調整し（Ｓ７）、終了する（Ｓ８）。
【００３１】
上記構成のテープレコーダ１００においては、入力部１１０によって、電源部１０１からマイクロフォン装置へ直流電圧を供給する設定とされている場合、制御部１１１は、スイッチ部１０９をオン状態とする制御を行う。すると、電源部１０１からの直流電圧が抵抗１０２と、抵抗１０３と、抵抗１０４とによって分圧され、抵抗１０２と、抵抗１０３との接続点Ｑ及び端子Ｔ１を介してマイクロフォン装置へ供給されることとなる。
【００３２】
そのため、マイクロフォン装置から端子Ｔ１を介して入力される入力信号は、電源部１０１からの直流電圧の分圧電位を中心とした信号となる。そして、マイクロフォン装置から端子Ｔ１を介して入力された信号は、抵抗１０３と、抵抗１０４とによって分圧され、コンデンサ１０６によって直流成分がカットされた後、アンプ１０７によって増幅され、録音部１０８によって録音される。
【００３３】
また、制御部１１１は、アンプ１０７のゲインを、電源部１０１からマイクロフォン装置へ直流電圧を供給する場合に適した値（例えば、電源部１０１からマイクロフォン装置へ直流電圧を供給しない場合に比べて低い値）とするので、適切な増幅がなされた音声信号が録音部１０８によって録音されることとなる。
【００３４】
一方、入力部１１０によって、電源部１０１からマイクロフォン装置へ直流電圧を供給しない設定とされている場合、制御部１１１は、スイッチ部１０９をオフ状態とする制御を行う。そのため、マイクロフォン装置から端子Ｔ１を介して入力される入力信号は、略ゼロボルトを中心とした信号となる。
【００３５】
そして、マイクロフォン装置から端子Ｔ１を介して入力された入力信号は、抵抗１０３と、抵抗１０４とによって分圧され、コンデンサ１０６によって直流成分がカットされた後、アンプ１０７によって増幅され、録音部１０８によって録音される。
【００３６】
また、制御部１１１は、アンプ１０７のゲインを、電源部１０１からマイクロフォン装置へ直流電圧を供給しない場合に適した値（例えば、電源部１０１からマイクロフォン装置へ直流電圧を供給する場合に比べて高い値）とするので、適切な増幅がなされた音声信号が録音部１０８によって録音されることとなる。
【００３７】
なお、本発明は上記の実施形態に限定されず、本発明の趣旨を逸脱しない範囲で、種々の変更が可能である。例えば、上記実施形態においては、スイッチ部１０９は、ｐｎｐトランジスタ１０９１を用いたスイッチであったが、ｎｐｎトランジスタを用いたスイッチなど、制御部１１１による制御指示信号の送出によってオン・オフを行うことができるものであればどのようなスイッチであっても構わない。
【産業上の利用可能性】
【００３８】
本発明は、マイクロフォン装置から音声信号を取り込むテープレコーダなどの信号取り込み装置として有効である。
【図面の簡単な説明】
【００３９】
【図１】本発明の実施形態に係るテープレコーダ１００の概略の構成を示すブロック図。
【図２】本発明の実施形態に係るテープレコーダ１００の制御部１１１の制御手順を示すフローチャート。
【図３】従来の、プラグインパワー機能を有するテープレコーダ９００の概略の構成を示すブロック図。
【符号の説明】
【００４０】
１００    テープレコーダ（信号取り込み装置）
１０１    電源部
１０７    アンプ（増幅部）
１０９    スイッチ部
１１０    入力部
１１１    制御部
Ｐ    電源ライン
Ｔ１    端子
【図１】
2007335919.tif 000003
【図２】
2007335919.tif 000004
【図３】
2007335919.tif 000005